(57)【要約】【課題】バックアップ再生が容易なＣＭバンクシステムを提供する。【解決手段】  ＣＭ素材ファイル２００−１〜２００−ｎを記憶したビデオサーバ２０と、映像音声再生装置３０とを備えたＣＭバンクシステムＸを用いる。ＣＭ素材ファイル２００−１〜２００−ｎは、捨てカットと、ＣＭ本編のデータが記憶されている。映像音声再生装置３０は、脱着可能な記憶媒体４０を備えている。映像音声再生装置３０は、放送進行データ２３０に記憶されている素材ＩＤの記載に従って、ビデオサーバ２０からＣＭ素材ファイル２００−１〜２００−ｎを記憶媒体４０に記憶する。この上で、映像音声再生装置３０は、放送進行データ２３０に従って、ＣＭ素材ファイル２００−１〜２００−ｎのＣＭ本編を順次放送する。【選択図】図１
2012090042.tif 000002
【特許請求の範囲】
【請求項１】
ＣＭバンクシステムにおいて、
ＣＭ素材ファイルを記憶したビデオサーバと、映像音声再生装置とを備え、
前記ＣＭ素材ファイルは、捨てカットと、ＣＭ本編のデータとを有し、
前記映像音声再生装置は、脱着可能な記憶媒体を有し、
放送進行データに記憶されている前記ＣＭ素材ファイルの素材ＩＤの記載に従って、前記ビデオサーバから前記ＣＭ素材ファイルが前記記憶媒体に記憶され、
前記放送進行データに従って前記ＣＭ素材ファイルの前記ＣＭ本編が順次放送される
ことを特徴とするＣＭバンクシステム。
【発明の詳細な説明】
【技術分野】
【０００１】
本発明はＣＭバンクシステムに係り、特脱着可能な記憶媒体にてＣＭ素材ファイルを送出するＣＭバンクシステムに関する。
【背景技術】
【０００２】
従来から、民放放送局ではテレビジョン用のＣＭ（ｃｏｍｍｅｒｃｉａｌ  ｍｅｓｓａｇｅ）を送出することで収益を得ている。このため、民間放送局におけるＣＭの送出は、大変重要である。
民間放送局では、通常は、放送送出制御を行うコンピュータであるＡＰＣ（Ａｕｔｏｍａｔｉｃ  Ｐｒｏｇｒａｍ  Ｃｏｎｔｏｒｏｌ）が、放送進行データに従って、ビデオサーバに記憶している個々のＣＭ素材をＩＤ（Ｉｄｅｎｔｉｆｉｃａｔｉｏｎ）により指定して、ＣＭを再生し、送出している。このようなＣＭ送出システムを、ＣＭバンクシステムという。
しかしながら、ＣＭの送出は大変重要であるため、民間放送局では、バックアップ用に、事前に、１日のＣＭ素材を一本のＶＴＲ（Ｖｉｄｅｏ  Ｔａｐｅ  Ｒｅｃｏｒｄｅｒ）テープに記録する「ＣＭ一本化テープ」を作成している。ＡＰＣ又はビデオサーバに障害が発生した場合、このＣＭ一本化テープをＶＴＲで再生させることができる。これにより、バックアップ送出が確保できる。
従来、このＣＭ一本化テープを、ビデオサーバに収録してある個々のＣＭ素材をベースバンドで再生し、ＶＴＲテープに記録することで作成されていた。
【０００３】
ここで、従来のＣＭバンクシステムでバックアップ用に作成する一本化テープ作成用のＶＴＲ装置を有するＣＭバンクシステムにおいて、特許文献１を参照すると、一本化テープ作成用のＶＴＲ装置を有するＣＭバンクシステムにおいて、一本化テープ再作成時に、前記ＶＴＲ装置に挿入されるテープの所定部分に再作成する一本化テープに関するテープ情報が記録されているか否かをチェックし、前記対応するテープ情報が記録されていたとき一本化テープを再作成するようにしたことを特徴とするＣＭバンクシステムの一本化テープチェック方法が記載されている（以下、従来技術１とする。）。
従来技術１においては、一本化テープを再作成する際、テープ先頭部分に記録されたテープ情報により再作成用のテープであるか否かを確認することにより、再作成用のテープと異なっている場合、操作卓のモニタにエラー表示するようにした。
このため、テープ誤挿入によって上書きされたことが原因で放送素材が消去されるといった不具合を除去することができる。
【０００４】
しかしながら、従来技術１のＣＭバンクシステムにおいても、ビデオサーバに収録してある個々のＣＭ素材をベースバンドで再生させ、ＶＴＲテープに記録することでＣＭ一本化テープを作成していた。このため、作成するのに１日のＣＭ送出時間分の時間がかかっていた。
また、ＶＴＲテープの書き込み回数には制限があるため、ＶＴＲテープの消費本数が多くなり、テープ費用が膨大なものとなっていた。
さらに、スポーツ中継等の番組は、雨で中止になる場合、延長する場合が考えられる。従来のＶＴＲテープで一本化していた場合は、通常のスポーツ中継（以下、レギュラーパターンと呼ぶ。）の他に、中止パターン、延長パターン等（以下、マルチパターンと呼ぶ。）それぞれのパターンに応じた一本化テープを別々に作成していた。このため、複数のＶＴＲテープを作成する必要があり、時間及びテープ本数の浪費になっていた。
【０００５】
これに対して、近年、可搬ディスク媒体を使用したテープレス再生装置が市販されてきている。このような可搬ディスク媒体を用いた再生装置として、ｉＶＤＲ（Ｉｎｆｏｒｍａｔｉｏｎ  Ｖｅｒｓａｔｉｌｅ  Ｄｉｓｋ  ｆｏｒ  Ｒｅｍｏｖａｂｌｅ  ｕｓａｇｅ）と呼ばれるリムーバブルハードディスクを使用した、ｉＶＤＲプレイヤーが市販されている。
【先行技術文献】
【特許文献】
【０００６】
【特許文献１】特開２００６−９４０５２号公報
【発明の概要】
【発明が解決しようとする課題】
【０００７】
ここで、民間放送局においては、テレビＣＭは、ＣＭ枠と呼ばれる販売単位で放送される必要がある。
ＶＴＲを用いて作成するＣＭ一本化テープの場合、ＶＴＲテープに１日分のＣＭが放送順に記録されているとともに、ＣＭ枠毎にＣＭの再生を終了させるＳＴＯＰコードが記録されていた。
このため、ＡＰＣは、再生開始時刻になったら、ＶＴＲに対してスタート信号を送信する制御をすればよく、特別なファイルＩＤの制御等は不要であった。これにより、容易にバックアップ再生が可能となり、信頼性が高かった。
ところが、可搬ディスク媒体を使用した従来のＣＭバンクシステムの場合、ファイルＩＤの制御が必要になり、ＡＰＣは、ファイルＩＤを指定して再生する必要が生じるという問題点があった。
このため、従来の可搬ディスク媒体を使用したＣＭバンクシステムでは、ＶＴＲの再生の容易さが損なわれ、信頼性が低下するという問題があった。
【０００８】
本発明は、このような状況に鑑みてなされたものであり、上述の課題を解消することを課題とする。
【課題を解決するための手段】
【０００９】
本発明のＣＭバンクシステムは、ＣＭ素材ファイルを記憶したビデオサーバと、映像音声再生装置とを備えたＣＭバンクシステムにおいて、前記ＣＭ素材ファイルは、捨てカットと、ＣＭ本編のデータとを備え、前記映像音声再生装置は、脱着可能な記憶媒体を備え、放送進行データに記憶されている前記ＣＭ素材ファイルの素材ＩＤの記載に従って、前記ビデオサーバから前記ＣＭ素材ファイルを前記記憶媒体に記憶し、前記放送進行データに従って前記ＣＭ素材ファイルの前記ＣＭ本編を順次放送することを特徴とする。
【発明の効果】
【００１０】
本発明によれば、記憶媒体にある放送進行データに従ってＣＭ素材ファイルのＣＭ本編を順次放送することで、容易にバックアップ再生ができ、信頼性が高いＣＭバンクシステムを提供することができる。
【図面の簡単な説明】
【００１１】
【図１】本発明の実施の形態に係るＣＭバンクシステムＸの制御構成を示すブロック図である。
【図２】本発明の実施の形態に係るＣＭ再生処理のフローチャートである。
【図３】本発明の実施の形態に係るＣＭプレイリスト４１０作成の概念図である。
【図４】本発明の実施の形態に係るＣＭ素材ファイル２００−１の概念図である。
【図５】本発明の実施の形態に係るＣＭ素材データ４２０を用いて、ＣＭ枠単位でＣＭ素材を送出する際の概念図である。
【図６】本発明の実施の形態に係る映像音声再生装置３０のルート選択に係る概念図である。
【図７】本発明の実施の形態に係る映像音声再生装置３０のＣＭ枠選択に係る概念図である。
【図８】本発明の実施の形態に係るＣＭプレイリスト４１０を用いた再生制御の概念図である。
【発明を実施するための形態】
【００１２】
＜実施の形態＞
〔ＣＭバンクシステムＸの制御構成〕
以下で、本発明の実施の形態に係るＣＭバンクシステムＸについて、図面を参照して詳しく説明する。
まず、図１を参照して、本実施形態のＣＭバンクシステムＸの制御構成について説明する。
ＣＭバンクシステムＸは、ＶＴＲテープを用いず（テープレス）のビデオサーバを用いた放送システムであり、ＣＭバンクシステムとしての機能を備えている。
ＣＭバンクシステムＸは、主に、ネットワーク５と、データサーバ１０と、ビデオサーバ２０と、映像音声再生装置３０と、記憶媒体４０と、データ管理装置５０とを含んで構成される。
また、データサーバ１０と、映像音声再生装置３０と、データ管理装置５０とは、ネットワーク５で接続され、相互に画像や音声等のファイルやストリーミングデータやその他のファイルや情報やコマンド等を送受信可能である。
さらに、データ管理装置５０と、ビデオサーバ２０とは、専用のネットワーク等により、制御信号やＣＭ素材情報２１０−１〜２１０−ｎ、放送進行データ２３０等を直接送受信可能である。
【００１３】
ネットワーク５は、ＬＡＮやＷＡＮや専用線や光ファイバー網や携帯電話網等の有線／無線ネットワークである。たとえば、ネットワーク５として、１０００Ｂａｓｅ−ＴのＩＰネットワークやＦｉｂｒｅ  Ｃｈａｎｎｅｌ等を用いて、各部を接続することが可能である。
このネットワーク５に接続された各部位は、ＩＰアドレスやＭＡＣアドレス等を備えており、相互に映像や音声のデータ、障害検知の信号、制御のための処理命令等を送受信することができる。
なお、ネットワーク５は、ＮＧＮ（ネクスト・ジェネレーション・ネットワーク）やＶＰＮ（バーチャル・プライベート・ネットワーク）を用いて、各部位を遠隔に配置して接続することもできる。
【００１４】
データサーバ１０は、ＣＰＵ（Ｃｅｎｔｒａｌ  Ｐｒｏｃｅｓｓｉｎｇ  Ｕｎｉｔ）やＤＳＰ（Ｄｉｇｉｔａｌ  Ｓｉｇｎａｌ  Ｐｒｏｃｅｓｓｏｒ）等の制御部、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）等の記憶部、ＧＰＵ（Ｇｒａｐｈｉｃ  Ｐｒｏｃｅｓｓｉｎｇ  Ｕｎｉｔ）、サウンドプロセッサ、各種Ｉ／Ｏ、コーデック変換カード等を備えたＰＣ／ＡＴ互換機や専用機等であり、各部を管理する管理機能を備える。また、映像音声再生装置３０は、ディスプレイモニタ等の表示部と、操作用コンソール等の入力部とを備えている。
データサーバ１０は、上位装置であるデータ管理装置５０から送信された放送進行データ２３０、及びビデオサーバ２０に記憶されたＣＭ素材情報２１０−１〜２１０−ｎを管理している。
また、データサーバ１０は、記憶部に記憶されたＯＳのＧＵＩ（Ｇｒａｐｈｉｃａｌ  Ｕｓｅｒ  Ｉｎｔｅｒｆａｃｅ）やバッチファイル等から取得した指示に従い、放送進行データ２３０のＣＭ放送運行データと、個々のＣＭ素材情報データから、メタ情報ファイル（以下、ＣＭプレイリストと呼ぶ）であるＣＭプレイリスト４１０を作成し、映像音声再生装置３０に送信する。このＣＭプレイリスト４１０は、映像音声再生装置３０により受信され、映像音声再生装置３０に接続された記憶媒体４０内に記憶される。
【００１５】
ビデオサーバ２０は、ＨＤＤ、フラッシュメモリやＤＲＡＭ（Ｄｙｎａｍｉｃ  Ｒａｎｄｏｍ  Ａｃｃｅｓｓ  Ｍｅｍｏｒｙ）等の半導体メモリの記憶媒体であるＳＳＤ（Ｓｏｌｉｄ  Ｓｔａｔｅ  Ｄｒｉｖｅ）等を備えた大容量の記憶媒体である。
このビデオサーバ２０は、ＮＡＳ（Ｎｅｔｗｏｒｋ−Ａｔｔａｃｈｅｄ  Ｓｔｏｒａｇｅ）を用いて構成し、ｉＳＣＳＩ規格等を用いてネットワーク５を介して共有し、データサーバ１０や映像音声再生装置３０が、直接、アクセス可能に構成している。
ビデオサーバ２０は、データ管理装置５０から、ＣＭ素材ファイル２００−１〜２００−ｎ、ＣＭ素材情報２１０−１〜２１０−ｎを記憶する。また、ＣＭ以外の番組ファイル等も記憶する。
また、図１にはビデオサーバ２０を１つ示しているが、データサーバ１０は、複数のビデオサーバ２０を接続してアクセス可能である。
【００１６】
映像音声再生装置３０は、放送設備へ送出するための専用機やＰＣ／ＡＴ互換機等のサーバ機器である。映像音声再生装置３０は、制御部や記憶部を備えており、データサーバ１０の制御指示に従い、記憶媒体４０の映像・音声データを送出する部位である。映像音声再生装置３０は、放送送出制御を行うコンピュータであるＡＰＣ（Ａｕｔｏｍａｔｉｃ  Ｐｒｏｇｒａｍ  Ｃｏｎｔｏｒｏｌ）の機能も備えている。
映像音声再生装置３０は、ＣＭプレイリスト４１０に存在するＣＭ素材ファイルを、ビデオサーバ２０から転送して、記憶媒体４０に保存する。この際に、ビデオサーバ２０に記憶された、ＣＭ素材ファイル２００−１〜２００−ｎの一部又は全部の箇所を取得し、これらを結合して、ＣＭ素材データ４２０として記憶することができる。
この上で、映像音声再生装置３０は、ＣＭプレイリスト４１０に従い、記憶媒体４０の映像・音声データを放送局用のＨＤ−ＳＤＩやＳＤ−ＳＤＩフォーマット、ＭＰＥＧ２やＨ．２６４等のデジタル画像に変換したり、アナログの電波信号等の送出のための映像音声データに変換するデコード処理を行う。
そして、映像音声再生装置３０は、素材データをデコード処理した映像音声データを、放送用の電波送信機能等を備えた放送設備（図示せず）に出力する。
また、映像音声再生装置３０は、スポーツ番組の延長や雨天中止等で、放送進行が変更された場合、記憶部に記憶されたＯＳのＧＵＩ（Ｇｒａｐｈｉｃａｌ  Ｕｓｅｒ  Ｉｎｔｅｒｆａｃｅ）により、ＣＭプレイリスト４１０の進行パターンのバリエーションである「ルート」を選択して再生させることができる。このルートとしては、通常のスポーツ中継（レギュラーパターン）のルート等の他に、中止パターンや延長パターン等（マルチパターン）のルートが選択可能である。
また、映像音声再生装置３０は、ＧＵＩにて、放送進行データ２３０等を用いて、ＣＭ枠を直接設定して、ＣＭプレイリスト４１０に記載されたＣＭ素材データ４２０のＣＭを再生待機（スタンバイ）させることができる。
【００１７】
記憶媒体４０は、ＨＤＤ、ＳＳＤ（Ｓｏｌｉｄ  Ｓｔａｔｅ  Ｄｒｉｖｅ）、ＲＡＭディスク、ＣＤ／ＤＶＤ／ＢＤ等の光学記憶媒体、ホログラムディスク、磁気テープドライブ等の記憶媒体である。この記憶媒体４０としては、例えば、ｉＤＶＲのような可搬ディスク記憶媒体を用いることができる。また、着脱可能な記憶媒体を、ｅＳＡＴＡ（ｅｘｔｅｒｎａｌ  Ｓｅｒｉａｌ  ＡＴＡ）、ＵＳＢ２．０／３．０、各種光ファイバ接続等の高速な有線接続、又は無線ＬＡＮ、ＵＷＢ（Ｕｌｔｒａ  Ｗｉｄｅ  Ｂａｎｄ）、電磁／電界通信のような無線接続を用いて接続することもできる。また、ＮＡＳ等によりネットワークで接続するように構成してもよい。
記憶媒体４０は、データサーバ１０により作成されたＣＭプレイリスト４１０、及び映像音声再生装置３０により読み込まれたＣＭ素材データ４２０を含んでいる。
なお、ＣＭ素材データ４２０を用いず、映像音声再生装置３０が、直接、ビデオサーバ２０のＣＭ素材ファイル２００−１〜２００−ｎを、ＣＭプレイリスト４１０に従って再生するという構成も可能である。この場合、記憶媒体４０の記憶容量が少なくて済むという効果が得られる。
【００１８】
（データサーバ１０の構成）
より詳しく説明すると、データサーバ１０は、機能部位として、制御部１００、素材指定部１１０、捨てカット演算部１２０、メタ情報編集部１６０を含んで構成される。これらの機能部位は、データサーバ１０の記憶部のプログラムを制御部が実行することでハードウェア資源を用いて実現することができる。
また、データサーバ１０の各部は、ビデオサーバ２０に記憶された各種データを用いて、ＣＭプレイリスト４１０を作成する。
【００１９】
制御部１００は、データサーバ１０において素材取得／書き出しの処理を行うメインプログラム（ルーチン）を構成する部位である。
制御部１００は、ＯＳのＧＵＩやバッチファイルやスクリプトファイル（図示せず）等から素材取得／書き出しに関するユーザの指示を取得し、ＣＭプレイリスト４１０を作成して映像音声再生装置３０に送信する。映像音声再生装置３０は、このＣＭプレイリスト４１０を、接続された記憶媒体４０に記憶する。
【００２０】
素材指定部１１０は、ＣＭ素材データ４２０に書き出したり放送設備へ送信したりするために、好適なＣＭ素材ファイル２００−１〜２００−ｎを選択するための検索エンジンや人工知能等の部位である。
この素材指定部１１０は、具体的には、ＣＭ素材情報２１０−１〜２１０−ｎに含まれる文字データやバイナリデータ等のメタ情報の検索等を行い、放送進行データ２３０に従ってＣＭ枠内にＣＭを挿入する。
なお、素材指定部１１０は、図示しない番組データベース等を参照したり、画像認識を行ったりして、ＣＭ素材ファイル２００−１〜２００−ｎからＣＭ素材情報２１０−１〜２１０−ｎを作成することもできる。
【００２１】
捨てカット演算部１２０は、ＣＭ素材ファイル２００−１〜２００−ｎから、ＣＭ素材データ４２０を作成する際に、タイムラインを計算し直す部位である。
具体的には、捨てカット演算部１２０は、ＣＭ素材ファイル２００−１〜２００−ｎにおいて、例えばフレーム単位で映像と音声がずれないように、ＣＭ素材データ４２０のタイムコードを作成しなおすことができる。この上で、ＣＭ素材ファイル２００−１〜２００−ｎの各ファイルの前又は後に、通常、数フレーム程度含まれる「捨てカット」と呼ばれるフレームを除き、必要なＣＭ本編を再生するようにタイムコードを計算することができる。
また、放送設備への送信の際に、ＣＭ素材データ４２０において、例えば朝の放送開始時からの時間がタイムコードで指定される場合、これに合わせたタイムコードを作成することができる。
【００２２】
メタ情報編集部１６０は、ＣＭ素材情報２１０−１〜２１０−ｎに含まれるメタ情報を抽出して、例えば、パーサ（Ｐｅｒｓｅｒ）等を用いて、作成するＣＭプレイリスト４１０に書き込む部位である。
この際に、自然言語処理を行ったり、データのＸＭＬ（Ｅｘｔｅｎｓｉｂｌｅ  Ｍａｒｋｕｐ  Ｌａｎｇｕａｇｅ）等への変換を行ったりといった処理もすることができる。
【００２３】
（ビデオサーバ２０の構成）
より詳しく説明すると、ビデオサーバ２０には、ＣＭ素材ファイル２００−１〜２００−ｎ（ＣＭ素材）と、ＣＭ素材情報２１０−１〜２１０−ｎと、放送進行データ２３０とが記憶されている。
【００２４】
ＣＭ素材ファイル２００−１〜２００−ｎは、放送用に送出するＣＭの素材データとなる、映像、音声、ファイルのフォーマット等のバイナリデータ、文字データ等を含む素材データである。
具体的には、ＣＭ素材ファイル２００−１〜２００−ｎは、ＨＤカムで取材されたり、ＰＣで作成されたりしたＭＰＥＧ１／２／４のＴＳ／ＰＳ、Ｈ．２６４、ＡＶＩ（Ａｕｄｉｏ  Ｖｉｄｅｏ  Ｉｎｔｅｒｌｅａｖｅ）、ＳＤ／ＨＤ−ＳＤＩ、ＭＸＦ（Ｍａｔｅｒｉａｌ  ｅＸｃｈａｎｇｅ  Ｆｏｒｍａｔ）、Ｆｌａｓｈ  Ｖｉｄｅｏ、ＮＵＴ、Ｏｇｇ  Ｍｅｄｉａ、ｒａｔＤＶＤ、ＳＶＩ、ＤｉｖＸ  Ｍｅｄｉａ  Ｆｏｒｍａｔ、ＶＯＢ等、各種のフォーマットの映像ファイルや音声ファイル等を用いることができる。このＣＭ素材ファイル２００−１〜２００−ｎは、Ｈ．２６４やＭＰＥＧ２のＰＳ（プログラムストリーム）のように、量子化や時間方向の差分画像取得等により圧縮された圧縮データの状態に変換して保存することで、記憶容量を抑えることができる。
また、ＣＭ素材ファイル２００−１〜２００−ｎは、編集機により編集した後に作成されるような、データ量が大きな、例えばフレーム毎に画像データを記憶したような形式であってもよい。
また、ＣＭ素材ファイル２００−１〜２００−ｎの解像度は、ＳＤ（７２０×４８０点）、ＨＤ（１９２０×１０８０点）、２Ｋ、４Ｋ、Ｄ画像等、任意の解像度の画像ファイルを用いることができる。同様に、音声ファイルも、無圧縮のＷＡＶ、可逆圧縮のＦＬＡＣ、不可逆圧縮のＡＡＣやＭＰ２／３等のデータ等、任意のデータを用いることができ、チャンネル数も可変である。なお、映像ファイルに音声ファイルを合わせて記憶することも可能である。
また、ＣＭ素材ファイル２００−１〜２００−ｎは、それぞれ、素材データのＩＤ（Ｉｄｅｎｔｉｆｉｃａｔｉｏｎ）である素材ＩＤを備えている。
【００２５】
ＣＭ素材情報２１０−１〜２１０−ｎは、データ管理装置５０からダウンロードされた、ＣＭ素材ファイル２００−１〜２００−ｎのメタ情報を記憶するファイルやデータベース等である。
具体的には、ＣＭ素材情報２１０−１〜２１０−ｎは、ＣＭ素材ファイル２００−１〜２００−ｎの属性として、ファイルの形式、コーデック、ＣＭ本編と前後の捨てカットのフレーム位置、素材の種類、素材のジャンル、使用するＣＭ枠、使用する時間帯、番組内の位置、その他、各種の付加的な情報を示す文字データやバイナリデータであるメタデータを記憶している。また、メタデータには、取材内容等の詳細なデータを記憶させることができる。
また、ＣＭ素材情報２１０−１〜２１０−ｎは、各ＣＭ素材ファイル２００−１〜２００−ｎに付随するデータ（図示せず）を記憶することもできる。
なお、ＣＭ素材情報２１０−１〜２１０−ｎを、ＣＭ素材ファイル２００−１〜２００−ｎ内のメタデータ等にて備えるような構成も可能である。
【００２６】
放送進行データ２３０は、データ管理装置５０からダウンロードされた、放送及びＣＭの放送運行データである。
具体的には、放送進行データ２３０は、放送内でＣＭを放送するＣＭ枠やタイムライン上の時間、そのＣＭ枠内で放送するＣＭ素材ファイル２００−１〜２００−ｎの素材ＩＤ等を記憶する。
【００２７】
（映像音声再生装置３０の構成）
より詳細に説明すると、映像音声再生装置３０は、ルート選択部３００と、入力部３１０と、表示部３２０とを備えている。
【００２８】
ルート選択部３００は、映像音声再生装置３０の制御部と実行されるプログラム等である。ルート選択部３００は、ユーザーからのＧＵＩによる指示を検知して、ＣＭ素材データ４２０の放送設備への送信中にリアルタイムでＣＭプレイリスト４１０の進行パターンのバリエーションである「ルート」を選択したり、再生をスタンバイさせるためのＣＭ枠を選択することができる。ルート選択部３００は、入力部３１０からの指示を取得して、ルート選択部３００をＧＵＩにて指示、制御することができる。
入力部３１０は、キーボード、マウス等のポインティングデバイス、専用の再生制御コンソール等を備えた入力手段である。
表示部３２０は、ＣＲＴ、ＬＣＤ、ＰＤＰ、有機ＥＬ、ＬＥＤ、プロジェクタ等のディスプレイモニタのような表示手段である。
【００２９】
（記憶媒体４０の構成）
より詳しく説明すると、記憶媒体４０は、ＣＭプレイリスト４１０と、ＣＭ素材データ４２０とを備えている。
ＣＭプレイリスト４１０は、ＣＭ素材ファイル２００−１〜２００−ｎからＣＭ素材データ４２０を作成、再生の指示等を行うためのファイルである。
具体的には、ＣＭプレイリスト４１０は、ＣＭ素材データ４２０が、どのＣＭ素材ファイル２００−１〜２００−ｎや外部入力からのストリーミングデータを結合して作成するのか記憶するファイルである。
さらに具体的には、ＣＭプレイリスト４１０は、ＣＭ素材データ４２０内のフレーム等の単位で時系列的に、どのＣＭ素材ファイル２００−１〜２００−ｎや外部入力のデータを用いたか記憶している。すなわち、ＣＭプレイリスト４１０は、ＣＭ素材データ４２０を作成するための、各ＣＭ素材ファイル２００−１〜２００−ｎの素材ＩＤ、取得開始位置、取得終了位置、時間長、フレーム長等を記憶している。また、ＣＭ本編の前後の捨てカットを除くような取得開始位置及び取得終了位置、又は再生開始位置及び再生終了位置を記憶する。さらに、再生を停止するためのＳＴＯＰコードを生成するコマンド等を記憶しておいてもよい。
さらに、この取得開始位置、取得終了位置等については、タイムコード、ファイル内の位置、ＴＳパケットのパケット番号等により、頭出し可能なように記憶することができる。
【００３０】
ＣＭ素材データ４２０は、映像音声再生装置３０により放送設備へ送出するファイルであり、ＣＭ素材ファイル２００−１〜２００−ｎ、外部入力のストリーミングデータ、その他のデータを用いて作成可能である。
この際に、ＣＭ素材データ４２０は、ＣＭ素材ファイル２００−１〜２００−ｎのＣＭ本編の前又は後ろの捨てカットを削除した状態で結合して作成することができる。
また、ＣＭ素材データ４２０は、例えば、Ｈ．２６４形式のＨＤ−ＳＤＩのような、放送局で放送設備に送信する際に用いるようなデータ形式を用いることができる。
また、このＣＭ素材データ４２０は、他のフレームとの依存関係がなく、単独で復号化し画像が作成できるようなｉピクチャのみを備えて、画像の切り替えがしやすいような映像・音声ファイルを用いることができる。
なお、ＣＭ素材データ４２０に、具体的な画像／音声データを含まずに、ビデオサーバ２０からＣＭ素材ファイル２００−１〜２００−ｎを直接入力して放送設備に送信するような構成も可能である。
また、ＣＭ素材ファイル２００−１〜２００−ｎから必要なファイルをそのまま時系列的に取り込んでおき、捨てカットの部分は、再生しないようにするといった構成でもよい。この際、再生しない捨てカットの箇所は、映像音声再生装置３０がＣＭプレイリスト４１０の記憶内容を基に判定することができる。
【００３１】
〔本発明の実施の形態に係るＣＭバンクシステムＸによるＣＭ再生処理〕
次に、図２〜図８を参照して、本発明の実施の形態に係るＣＭバンクシステムＸによるＣＭ再生処理について説明する。
本実施形態のＣＭ再生処理は、主にＣＭを一本化して記憶媒体４０に記憶し、映像音声再生装置３０を用いて再生する処理である。
以下で、図２のフローチャートを参照して、発明の実施の形態に係るＣＭ再生処理の各工程（ステップ）について詳しく説明する。
【００３２】
ステップＳ１０１において、データサーバ１０は、ＣＭプレイリスト作成処理を行う。
具体的には、データサーバ１０は、ＣＭ素材情報２１０−１〜２１０−ｎ及び放送進行データ２３０を基に、ＣＭプレイリスト４１０を作成する。
図３を参照して、さらに具体的に説明すると、ＣＭバンクシステムＸのようなビデオサーバシステムでは、１日分の全てのＣＭの放送運行データである放送進行データ２３０と、ＣＭ素材ファイル２００−１〜２００−ｎの個々の情報を持つＣＭ素材情報２１０−１〜２１０−ｎとがＸＭＬ等の記述言語形式等にて記載されて記憶されている。
また、ビデオサーバ２０内の個々のＣＭ素材ファイル２００−１〜２００−ｎには、ＣＭ本編以外に捨てカットと呼ばれる予備映像音声が前後数フレーム程度存在するが、この捨てカットの情報（前捨てカット長、後捨てカット長）もＣＭ素材情報２１０−１〜２１０−ｎの中に記憶されている。
【００３３】
ここで、ビデオサーバ２０は、放送進行データ２３０及びＣＭ素材情報２１０−１〜２１０−ｎを、データ管理装置５０から取得して記憶している。
データサーバ１０は、この放送進行データ２３０及びＣＭ素材情報２１０−１〜２１０−ｎを、データ管理装置５０から読み出し、メタ情報編集部１６０と、素材指定部１１０により結合して、ＣＭプレイリスト４１０を作成する。この際、データサーバ１０は、主に１日分の放送進行データ２３０と、この放送進行データに記載されたＣＭ枠単位の個々のＣＭ素材情報２１０−１〜２１０−ｎの素材ＩＤ及びメタ情報とを結合し、１つのメタ情報ファイルであるＣＭプレイリスト４１０を作成する。
また、データサーバ１０は、捨てカット演算部１２０を用いて、ＣＭ素材ファイル２００−１〜２００−ｎ及びＣＭ素材情報２１０−１〜２１０−ｎのＣＭ本編の前又は後の捨てカットのフレーム位置等も計算し、ＣＭプレイリスト４１０に書き込む。
データサーバ１０は、作成したＣＭプレイリスト４１０を映像音声再生装置３０に送信する。
映像音声再生装置３０は、受信したＣＭプレイリスト４１０を記憶部に記憶する。この上で、映像音声再生装置３０は、記憶媒体４０が接続されると、この記憶媒体４０にＣＭプレイリスト４１０を記憶する。
このＣＭプレイリスト４１０は、映像音声再生装置３０にて読み出し可能となる。
【００３４】
次に、ステップＳ１０２において、映像音声再生装置３０は、ＣＭ素材コピー処理を行う。
具体的には、映像音声再生装置３０は、ビデオサーバ２０の大容量記憶媒体に格納されているＣＭ素材ファイル２００−１〜２００−ｎのうち、ＣＭプレイリスト４１０に含まれるＣＭ素材ファイル２００−１〜２００−ｎを、事前にｉＶＤＲ等の記憶媒体４０にコピーする。映像音声再生装置３０は、ＣＭプレイリスト４１０を記憶媒体４０に記憶したときに、このコピーの処理を自動で実行する。その上で、映像音声再生装置３０は、ＣＭ素材ファイル２００−１〜２００−ｎのうち、ＣＭ本編の部分だけをコピーする。
【００３５】
図６〜図７を参照して、このＣＭ本編部分のみのコピーについて説明する。
図６は、ビデオサーバ２０内部に記憶されている１つのＣＭ素材ファイル２００−１の構造を示す概念図である。ＣＭ素材ファイル２００−１は、ＣＭ本編部分以外に、捨てカットと呼ばれる予備映像音声が前後数フレーム程度存在している。
図７は、ＣＭ素材ファイル２００−１〜２００−ｎを、ＣＭ素材データ４２０としてコピーする際の構成を示す概念図である。ＣＭ素材ファイル２００−１〜２００−３がＣＭ枠１で放送されるＣＭａ、ＣＭｂ、ＣＭｃである場合、映像音声再生装置３０は、これらのＣＭ本編部分をコピーして、ＣＭ素材データ４２０に含ませる。なお、ＣＭ素材データ４２０のＣＭ枠１の最後には、ＳＴＯＰコードを記憶してもよい。
映像音声再生装置３０が、この状態のＣＭ素材データ４２０を再生すると、捨てカット部分は再生されず、ＣＭ本編部分のみ再生される。
【００３６】
なお、上述したように、映像音声再生装置３０は、ＣＭ素材ファイル２００−１〜２００−ｎをそのまま取得して、ＣＭ素材データ４２０として用いるような構成にしてもよい。
この場合は、ファイルを結合しても、それぞれのファイルが独立していてもよい。この上で、映像音声再生装置３０は、ＣＭ素材データ４２０の再生時に各ＣＭ本編の部分のみを再生する。
【００３７】
次に、ステップＳ１０３において、映像音声再生装置３０は、ルート選択処理を行う。
具体的には、映像音声再生装置３０は、ルート選択部３００を用いて、入力部３１０と表示部３２０のＧＵＩによるユーザーの指示を検知する。
映像音声再生装置３０は、この上で、ＣＭプレイリスト４１０に記憶された、ＣＭ枠内のＣＭ素材データ４２０の各ＣＭ本編の再生に関するルートを設定する。
また、映像音声再生装置３０は、ユーザーの指示により、ＣＭプレイリスト４１０上のどのＣＭ枠から再生するか選択可能である。
【００３８】
ルート選択処理の詳細について、図６と図７を参照して説明する。
図６は、ルート選択の画面例である。映像音声再生装置３０は、記憶媒体４０が接続されている映像音声再生装置３０の表示部３２０に、ＣＭプレイリスト４１０を表示する。その際、映像音声再生装置３０は、レギュラーの進行パターンであるレギュラールート、雨中止用ルートや放送延長ルート等の複数の進行パターンのルートであるマルチルートとを選択させるように表示する。ユーザーは、ＧＵＩを用いて、例えば、カーソル６００を移動して、どのルートを再生するか指示する。
図７はＣＭ枠の選択を行う画面例である。図７では、映像音声再生装置３０は、図６の画面例で選択したＣＭプレイリスト４１０のルートを、ＣＭ枠順に表示する。この画面で、ユーザーがＧＵＩのカーソル６００等でＣＭ枠を選択すると、映像音声再生装置３０は、この指示を検知し、そのＣＭ枠内に含まれるＣＭ素材データ４２０のＣＭ本編をスタンバイ状態にする。この際、ＣＭプレイリスト４１０の当該ＣＭ素材のメタ情報を参照して、捨てカットはスタンバイしないでおくように構成する。
【００３９】
次に、ステップＳ１０４において、映像音声再生装置３０は、放送送出処理を行う。
映像音声再生装置３０は、ＡＰＣを用いて、ＣＭプレイリスト４１０の選択されたルートを参照し、放送進行データ２３０の当該ＣＭ枠の放送時間に合わせて、記憶媒体４０のＣＭ素材データ４２０から、スタンバイされた素材ＩＤのＣＭ本編を再生し、放送設備に送出する。
【００４０】
図８を参照して、この送出の際の制御について説明する。
図８は、ＣＭプレイリスト４１０を用いた再生制御の概念図である。映像音声再生装置３０は、ＡＰＣからのスタート信号を検知すると、図７で選択しているＣＭ枠に係るＣＭ素材を順次再生する。ＣＭ枠の最後のＣＭの再生が終了すると、次のＣＭ枠の素材ＩＤのＣＭ素材がスタンバイされる。
この際、ＡＰＣがスタート信号を再生装置に出すだけで、映像音声再生装置３０は、スタンバイしていたＣＭ枠内におけるＣＭ素材データ４２０の素材ＩＤに係るＣＭ素材のＣＭ本編を、ＣＭプレイリスト４１０に従って、順次再生する。そして、映像音声再生装置３０は、ＣＭ枠内のＣＭ素材データ４２０内の全ＣＭ素材の再生が完了したら、次のＣＭ枠の素材ＩＤのＣＭ素材をスタンバイ状態にする。
このような処理を繰り返すことで、放送送出制御を行うＡＰＣからは、スタート信号を発信するのみで、ＣＭプレイリスト４１０に従った送出が可能となる。これにより、簡便にＣＭのバックアップ再生が可能となる。
なお、映像音声再生装置３０に、ユーザーが直接、再生のスタートを指示することも当然可能である。
また、スポーツ中継の中止又は延長等が決まった場合、再生しながらマルチパターンを選択するだけで、中止又は延長用のマルチパターンでのＣＭの送出も可能となる。
以上により、ＣＭ再生処理を終了する。
【００４１】
以上のように構成することで、以下のような効果を得ることができる。
まず、従来は、ビデオサーバに収録してある個々のＣＭ素材をベースバンドで再生させてＶＴＲテープに記録することでＣＭ一本化テープを作成していたため、作成するのに１日のＣＭ送出時間の実時間が必要であった。
また、ＶＴＲテープの書き込み回数には制限があるため、ＶＴＲテープの消費本数が多くなり、テープ費用が膨大なものとなっていた。
また、スポーツ中継等の番組は、雨で中止になる場合、延長する場合が考えられる。従来のＶＴＲテープで一本化していた場合は、それぞれのパターンに応じた一本化テープを別々に作成していた。
そのため、複数のＶＴＲテープを作成する必要があり、時間及びテープ本数の浪費になっていた。
これは、従来技術１においても同様であった。
【００４２】
これに対して、本発明の実施の形態に係るＣＭバンクシステムＸは、映像音声再生装置３０の着脱可能な記憶媒体４０にＣＭ素材を転送する。
これにより、ＣＭ一本化テープを作成する必要がなくなるため、ＣＭ一本化ファイルと同様のＣＭ素材データ４２０の作成にかかる時間が短縮される。
また、ＶＴＲテープを使用しないため、従来かかっていたテープの費用が必要なくなり、コストを抑えることができる。
【００４３】
一方、可搬ディスク媒体を使用したｉＶＤＲ等の再生装置は、個々のファイルを単体再生、ループ再生するものであった。ｉＶＤＲの再生装置は、複数の素材を連続して再生する機能を有するものも存在するが、あくまでプレイヤー上で作成したＰＬＡＹリストに従って再生するものであった。つまり、放送局の放送運行を管理している上位システムのコンピュータで作成される１日の放送進行データに従って順次再生するものではなかった。
また、可搬ディスク媒体を使用した再生装置の場合、ファイルのＩＤの制御が必要になり、ユーザーはＡＰＣに指示して、ファイルのＩＤを指定する必要が生じていた。
このため、可搬ディスク媒体を使用した再生装置では、ＶＴＲの再生の容易さ及びバックアップの信頼性や安心感が失われるという問題があった。
【００４４】
これに対して、本発明の実施の形態に係るＣＭバンクシステムＸは、記憶媒体４０を用いた映像音声再生装置３０において、放送進行データ２３０に従って、ＣＭプレイリスト４１０に記載されたＣＭ素材データ４２０を再生できる。
この際、ＡＰＣからは、従来のＶＴＲに対して実施していた通りのスタート信号のみで制御が可能となる。このため、ＡＰＣの改修は不要であり、バックアップ再生が容易となる。
また、映像音声再生装置３０の表示部３２０と入力部３１０とを用いて、ルート選択、ＣＭ枠選択を可能とすることができる。このため、雨や事故等による中止及び延長対応も容易に行えるようになる。
また、記憶媒体４０は、脱着可能な可搬媒体のため、映像音声再生装置３０が故障した場合は、可搬ディスクを別の映像音声再生装置に入れるだけで、代替機からの再生が可能となる。このため、本発明の実施の形態に係るＣＭバンクシステムＸは、バックアップ再生の信頼性や安心感を確保できる。
【００４５】
また、本発明の実施の形態に係るＣＭ再生方法は、データサーバ１０と、ＣＭ素材ファイル２００−１〜２００−ｎを記憶したビデオサーバ２０と、ＣＭ送出装置である映像音声再生装置３０とを用いた放送システムを用いる。データサーバ１０は、放送局の放送運行を管理している上位システムのコンピュータであるデータ管理装置５０で作成される１日の放送進行データ２３０から、ＣＭプレイリスト４１０を作成して、映像音声再生装置３０に送信する。映像音声再生装置３０は、作成されたＣＭプレイリスト４１０を、可搬ディスク媒体等である記憶媒体４０に記憶する。その後、映像音声再生装置３０は、ＣＭプレイリスト４１０に記載されているＣＭ素材ファイル２００−１〜２００−ｎを、事前に、ビデオサーバ２０から可搬ディスク媒体等である記憶媒体４０にＣＭ素材データ４２０としてコピーしておく。そして、記憶媒体４０を接続した映像音声再生装置３０から、放送進行データ２３０に従ってＣＭ素材データ４２０の素材ＩＤに係るＣＭ本編を順次放送することを特徴とする。
これにより、ビデオサーバ２０の機器障害時にバックアップ放送を可能とする。
【００４６】
また、本発明の実施の形態に係るＣＭ再生方法は、ビデオサーバシステムの大容量ディスクに格納されているＣＭ素材のうち、１日分の放送進行データに含まれるＣＭ素材を、事前にｉＶＤＲ等の可搬の記憶媒体にコピーしておくＣＭ再生方法であることを特徴とする。
【００４７】
また、本発明の実施の形態に係るＣＭ再生方法は、脱着可能な可搬の記憶媒体を用いた映像音声再生装置を用いて、前記記憶媒体内に管理されている各ＣＭ素材ファイルを放送進行データに従って順次送出するＣＭ再生方法であることを特徴とする。
【００４８】
また、本発明の実施の形態に係るＣＭ再生方法は、各ＣＭ素材ファイルの前捨てカット、後捨てカットを除いて順次送出するＣＭ再生方法であることを特徴とする。
【００４９】
また、本発明の実施の形態に係るＣＭ再生方法は、ＣＭ枠単位のスタート信号により、ＣＭ枠内のＣＭ素材のみ順次送出するＣＭ再生方法であることを特徴とする。
【００５０】
なお、上述の実施の形態においては、ＣＭプレイリスト４１０を記憶媒体４０に記憶するように記載したが、これに限られず、例えばデータサーバ１０や映像音声再生装置３０が直接データベース等に記憶しておいてもよい。この場合、記憶媒体４０のＣＭ素材データ４２０にＩＤを付加することで、対応するＣＭプレイリスト４１０を管理可能である。
さらに、ＣＭプレイリスト４１０を用いず、ＣＭ素材ファイル２００−１〜２００−ｎを放送進行データ２３０に従って直接再生して、放送設備に送出するような構成も可能である。
【００５１】
なお、上記実施の形態の構成及び動作は例であって、本発明の趣旨を逸脱しない範囲で適宜変更して実行することができることは言うまでもない。
【符号の説明】
【００５２】
５  ネットワーク
７  制御信号
１０  データサーバ
２０  ビデオサーバ
３０  映像音声再生装置
４０  記憶媒体
５０  データ管理装置
１００  制御部
１１０  素材指定部
１２０  捨てカット演算部
１６０  メタ情報編集部
２００−１〜２００−ｎ  ＣＭ素材ファイル
２１０−１〜２１０−ｎ  ＣＭ素材情報
２３０  放送進行データ
３００  ルート選択部
３１０  入力部
３２０  表示部
４１０  ＣＭプレイリスト
４２０  ＣＭ素材データ
６００  カーソル
Ｘ  ＣＭバンクシステム
【図１】
2012090042.tif 000003
【図２】
2012090042.tif 000004
【図３】
2012090042.tif 000005
【図４】
2012090042.tif 000006
【図５】
2012090042.tif 000007
【図６】
2012090042.tif 000008
【図７】
2012090042.tif 000009
【図８】
2012090042.tif 000010